(57)【特許請求の範囲】
【請求項１】
ベッドとベッド上に敷かれ、或いは、畳と畳上に敷かれるマットレス又は敷布団との間に差込まれる略短冊状の差込みプレートと、寝具用上掛けの適宜な端部を取外し自在に挟込み保持する掛止め環とを有する、寝具用上掛けのズレ止め具において、
前記掛止め環は、一対の互いに離間した第一の軸部と、前記第一の軸部の一端部間に亘る第二の軸部と、前記第一の軸部の他端部間に亘る第三の軸部とから成る環本体と、前記第一の軸部に嵌め合わさる両端のリング部で前記第一の軸部に沿ってスライド自在に前記第一の軸部の間に掛け渡された押え杆を有し、
前記差込みプレートの一端部にはループ状の保持部を設け、前記第二の軸部を前記ループ状の保持部に挿通させて前記差込みプレートと一体に備え、
前記掛止め環は、前記上掛けの前記端部を前記第二の軸部と前記押え杆との間に通すと共に、前記押え杆を跨がせて前記押え杆と前記第三の軸部との間に通し、前記押え杆を両端のリング部で前記第一の軸部に沿って前記第三の軸部の方向へスライド移動させて前記押え杆と前記第三の軸部とで前記上掛けの前記端部を挟持してから、前記押え杆と前記第三の軸部を前記端部の挟持された上掛けで巻回し、前記押え杆を前記上掛けから加わる引張り力により前記端部の挟込み方向に引張り可能な器具として備え付けたことを特徴とする寝具用上掛けのズレ止め具。
【請求項２】
前記第三の軸部、並びに、前記押え杆が平板状に形成されていることを特徴とする請求項１に記載の寝具用上掛けのズレ止め具。
【発明の詳細な説明】
【技術分野】
【０００１】
本発明は、掛け布団，ブランケット，ベッドカバー等を含む寝具用上掛けのズレ止め具に関するものである。
【背景技術】
【０００２】
従来、この種の上掛けズレ止め具としては種々のものが提案されている。それらのズレ止め具は、主に、ベッドとベッド上に敷かれたマットレス等との間に挟み込まれてベッドの横方向へ延在するよう配置される平帯ベルトと、平帯ベルトの両端部に備えられて、上掛けの適宜端部を支持するための面ファスナや鰐口クリップ等の止め手段とにより構成されている（例えば、特許文献１，２）。
【０００３】
そのズレ止め具のうち、面ファスナを備えたズレ止め具の場合には、雄，雌の面ファスナとしてベルト側だけでなく、上掛け側にも取り付ける必要があるため、上掛けを縫製するのに制約となる。加えて、面ファスナを上掛けに備え付けた場合には、多数回に亘る上掛けの洗濯により、平帯ベルトに設けた面ファスナに対する上掛けの面ファスナの係合力が低下する虞が生じ、ズレ止め具としての機能を発揮し得ない事態も発生する。また、鰐口クリップを備えたズレ止め具の場合には、就寝者が寝返りを打つ等に伴う引張り力に耐えられる程の挟持力を備えるものでないため、上掛けが鰐口クリップから外れてしまう虞れがあった。
【０００４】
上述した主たる構成に加えて、ベッドの大きさに合せ或いは上掛けの引張り度合い等を調整するため、平帯ベルトの長さを調整するベルトの長さ調整手段も備え付けられている。
【０００５】
このズレ止め具によると、上述した面ファスナや鰐口クリップ等の止め手段により、平帯ベルトの両端部を上掛けに接続させてから、平帯ベルトの長さを調整するという煩雑な作業が必要となる。
【０００６】
ベッド用上掛けの上述したズレ止め具では、病院や高齢者ホーム等の数多くのベッドを抱える場所で適用するとなると、止め具の外れを直したり、平帯ベルトの長さを調整したり、個別に対応するのに大変な作業，労力を伴うことから実用性に欠ける。
【０００７】
【特許文献１】特開平１０−３３７２３３号公報
【特許文献２】特開２００１―３２１２５５号公報
【発明の開示】
【発明が解決しようとする課題】
【０００８】
本発明が解決しようとする課題は、簡単な操作で上掛けを外れないように確実に止めておくことのできる、上掛けのズレ止め具を提供することを目的とする。
【課題を解決するための手段】
【０００９】
上記課題を解決するため、本願の請求項１に記載の発明は、ベッドとベッド上に敷かれ、或いは、畳と畳上に敷かれるマットレス又は敷布団との間に差込まれる略短冊状の差込みプレートと、寝具用上掛けの適宜な端部を取外し自在に挟込み保持する掛止め環とを有する、寝具用上掛けのズレ止め具において、
前記掛止め環は、一対の互いに離間した第一の軸部と、前記第一の軸部の一端部間に亘る第二の軸部と、前記第一の軸部の他端部間に亘る第三の軸部とから成る環本体と、前記第一の軸部に嵌め合わさる両端のリング部で前記第一の軸部に沿ってスライド自在に前記第一の軸部の間に掛け渡された押え杆を有し、
前記差込みプレートの一端部にはループ状の保持部を設け、前記第二の軸部を前記ループ状の保持部に挿通させて前記差込みプレートと一体に備え、
前記掛止め環は、前記上掛けの前記端部を前記第二の軸部と前記押え杆との間に通すと共に、前記押え杆を跨がせて前記押え杆と前記第三の軸部との間に通し、前記押え杆を両端のリング部で前記第一の軸部に沿って前記第三の軸部の方向へスライド移動させて前記押え杆と前記第三の軸部とで前記上掛けの前記端部を挟持してから、前記押え杆と前記第三の軸部を前記端部の挟持された上掛けで巻回し、前記押え杆を前記上掛けから加わる引張り力により前記端部の挟込み方向に引張り可能な器具として備え付けたことを特徴とする。
【００１０】
本願の請求項２に記載の発明は、請求項１に記載の構成に加えて、前記第三の軸部、並びに、前記押え杆が平板状に形成されていることを特徴とする。
【発明の効果】
【００１１】
本願の請求項１に記載の発明に依れば、押え杆と第三の軸部とから上掛けの端部を挟持してから、押え杆と第三の軸部を端部の挟持された上掛けで巻回し、押え杆を上掛けから加わる引張り力により端部の挟込み方向に引張り可能な器具として備え付けたことにより、就寝者が寝返りを打つ等に伴う引張り力が上掛けに加わっても、押え杆が上掛けの端部を第三の軸部とで挟み込む方向に引張られるため、上掛けが掛止め環から外れることがない。
【００１２】
本願の請求項２に記載の発明に依れば、第三の軸部、並びに、押え杆を平板状に形成したので、平板状に形成された第三の軸部の角部と、平板状に形成された押え杆の角部とから、上掛けの端縁部をより緊密に締め付けて確りと挟持することができる。
【発明を実施するための最良の形態】
【００１３】
以下、添付図面を参照して本発明に係る上掛けズレ止め具の実施形態について説明する。図１に示したように、この実施形態に係る上掛けズレ止め具１は、略短冊状の差込みプレート２と、差込みプレート２の一端部に備えられて掛け布団，ブランケット，ベッドカバーの如き上掛けＡの適宜な端部を着脱自在に止着する掛止め環３とを有している。
【００１４】
上掛けズレ止め具１を複数用意し、例えば、図２に示したように、その複数のズレ止め具１の掛止め環３に上掛けＡの適宜な端部を着脱自在に止着してから、差込みプレート２をベッドＢとベッドＢの上に敷かれたマットレスＣ等との間に挟み込ませる。これにより、ズレ止め具１は上掛けＡのズレ止め具として用いられる。尚、差込みプレート２は、ベッドＢとマットレスＣとの間に挟み込む場合に限らず、畳と敷布団等との間に挟み込んで用いることもできる。
【００１５】
図１及び図３に示したように、差込みプレート２は、金属製の平板材にて成る芯材２０と、金属製芯材２０を被覆したエンドレスな帯状の被覆層２２とにより構成されている。芯材２０は、エンドレスな被覆層２２の内に芯材２０を挿入して芯材２０の両面に被覆層２２の内側面を接着することにより被覆層２２と一体に構成されている。
【００１６】
芯材２０に接着された被覆層２２の、芯材２０の一端部を取り囲んでいる部分は、芯材２０と接着させずにループ状の保持部２２ａを構成している。また、保持部２２ａの近傍の差込みプレート２の部分には、差込みプレート２の厚さ方向に貫通したリベット２２ｂが止着されている。これにより、芯材２０と接着されていない保持部２２ａの部分を始点として被覆層２２が芯材２０から剥れることがないように構成されている。
【００１７】
掛止め環３は、ループ状の保持部２２ａの内部に挿通することにより差込みプレート２に装着されている。掛止め環３は、回動自在に被覆層２２の保持部２２ａに支持されている。掛止め環３を回動自在に保持部２２ａに支持させるよう構成すれば、掛止め環３を適宜回動させて、上掛けＡの端部を掛止め環３に後述する如く巻回させて止着させることができるので、掛止め環３に対する上掛けＡの止着作業を簡単且つ確りと行うことができるようになる。
【００１８】
図示実施の形態においては、芯材２２を金属製の平板材により形成したが、平板状芯材２２を適宜な硬さを有する硬質性樹脂材料にて成形してもよい。被覆層２２の材料としては、摩擦抵抗係数の高い材料を用いるのが好ましい。摩擦抵抗係数の高い材料としては、例えば、ゴム，不織布、摩擦抵抗係数の高い樹脂材料等を用いることができる。被覆層２２を摩擦抵抗係数の高い材料にて構成した場合には、差込みプレート２をベッドとマットレス等、或いは、畳と敷布団等との間に差込んで、適宜位置にセットしただけで、差込みプレート２が不用意に移動するのを防止することができる。
【００１９】
被覆層２２は、被覆層２２を平板状の芯材２０と略同一寸法の帯状に形成し、芯材２０の両面の少なくとも一方に接着させるようにしてもよい。好ましくは、差込みプレート２をベッドとマットレス等、或いは、畳と敷布団等との間に差込んだ時に、ベッド或いは畳と対向する芯材２０の面側に被覆層を接着させるとよい。この場合には、芯材２０の一端部にループ状の保持部を設け、その保持部に掛止め環３を装着すればよい。
【００２０】
差込みプレート２は、それ自体を摩擦抵抗係数の高い材料にて形成し、一端部にループ状の保持部を形成し、その保持部に掛止め環３を装着するようにしてもよい。この場合には、差込みプレート２を構成する材料としては、剛性のある材料を用いるとよい。
【００２１】
掛止め環３は、略Ｄ字状の環本体３０と、上掛けＡの端部を環本体３０とで締付け挟持するための押え杆３２とを有している。環本体３０は、一本の金属棒材を略Ｄ字状に折り曲げることにより形成されている。環本体３０は、一対の互いに離間して略並行に延びた第一の軸部３０ａ，３０ｂと、一対の軸部３０ａ，３０ｂの一端部間に亘って延びた略円弧状の第二の軸部３０ｃと、一対の軸部３０ａ，３０ｂの他端部間に亘って直線状に延びた第三の軸部３０ｄとを有している。掛止め環３は、環本体３０の第二の軸部３０ｃを差込みプレート２の保持部２２ａに挿通させることにより、差込みプレート２と一体に装着されている。
【００２２】
環本体３０の第三の軸部３０ｄは、押え杆３２と協働して上掛けＡの端部を挟持するよう機能するもので、一本の金属棒材を略Ｄ字状に折り曲げて環本体３０を形成した際に、互いに対向する金属棒材の両端部を角のある平板状に押し潰すことにより形成されている。また、押え杆３２は、角を持った金属製の平板材の両端部を夫々略リング状に折り曲げることにより形成されている。
【００２３】
押え杆３２のリング部３２ａ，３２ｂは、環本体３０の一対の軸部３０ａ，３０ｂの外径よりも若干大きい内径を有している。押え杆３２は、リング部３２ａ，３２ｂを一対の軸部３０ａ，３０ｂに夫々嵌め合せることにより、一対の軸部３０ａ，３０ｂに沿ってスライド移動可能に一対の軸部３０ａ，３０ｂ間に掛け渡し装着されている。
【００２４】
第三の軸部３０ｄは角のある平板状に形成し、押え杆３２も角を持った平板材にて形成すると、第三の軸部３０ｄの角部と押え杆３２の角部とで、上掛けＡの端部を緊密に締め付けて、上掛けAの適宜端部を確りと挟持できるようになる。
【００２５】
一対の軸部３０ａ，３０ｂは、間隔が第三の軸部３０ｄの方向に向かって徐々に広幅となるよう構成することもできる。このように構成した場合には、押え杆３２を一対の軸部３０ａ，３０ｂに沿って第三の軸部方向へスライド移動させて上掛けＡの端部を第三の軸部３０ｄとで挟持させた時に、押え杆３２が第二の軸部３０ｃ方向へ移動することなく、第三の軸部３０ｄとで上掛けＡの端部を確りと挟持した状態に保てる。
【００２６】
図示実施の形態においては、環本体３０及び押え杆３２を金属材料にて形成した場合について述べたが、これらは樹脂で所定形状に成形したものであってもよい。また、掛止め環本体３０を略Ｄ字状に形成したが、図４に示したように、略四角形に形成したものであってもよい。
【００２７】
上述した上掛けのズレ止め具を用いては、上掛けの複数の適宜な端部を複数のズレ止め具１の掛止め環３に保持させ、それらズレ止め具１をベッドとマットレス（又は敷布団）或いは畳と敷布団（又はマットレス）との間に夫々差し込むだけで上掛けのズレ防止を実行することができる。
【００２８】
詳述すると、図５に示したように、ユーザーが掛止め環３を指で保持した状態で、上掛けＡの端部を環本体３０の第二の軸部３０ｃと押え杆３２との間に差込み、次に、図６に示したように押え杆３２を跨がせて押え杆３２と環本体３０の第三の軸部３０ｄとの間に差込んでから、図７に示したように、押え杆３２を一対の軸部３０ａ，３０ｂに沿って第三の軸部３０ｄの方向へスライド移動させることにより、上掛けＡの端部を押え杆３２と第三の軸部３０ｄとで締付け挟持させる。
【００２９】
この上掛けＡの端部挟持から、図８に示したように掛止め環３を回動させれば、図９に示したように上掛けＡの端部が掛止め環３の第三の軸部３０ｄと押え杆３２とに巻回されるようになる。ズレ止め具１は、ベッドとマットレス或いは畳と敷布団との間に差し込まれて使用される。
【００３０】
このようにして用いられるズレ止め具１においては、就寝者が寝返りを打つ等に伴う引張り力が上掛けＡに加わっても、ズレ止め具１によって下方に引張られると共に、押え杆３２が上掛けＡの端部を第三の軸部３０ｄとで挟み込む方向に引張るため、上掛けＡが掛止め環３から外れることがなく、上掛けＡのズレを確実に阻止することができる。
【００３１】
それに加えて、掛止め環３の第三の軸部３０ｄが角を持った平板状に押潰し形成されていると共に、押え杆３２も同様に角を持った平板部材で形成されているため、上掛けＡの適宜端部が第三の軸部３０ｄと押え杆３２との間からずれ出さない。これにより、上掛けを確実にズレ止め保持できる。
【００３２】
図示実施の形態においては、差込みプレート２を略短冊状に形成したので、差込みプレート２をベッドとマットレス等、或いは、畳と敷布団等との間に差込んでも就寝者に違和感を与えることはない。また、ズレ止め具本体が極めて短く形成されているので、ベッドの大きさ或いは上掛けの引張り度合いを考慮して、ズレ止め具を適宜位置に複数個設置させることができるので、ベッドの大小或いは上掛けの引張り度合い応じて適宜対応させることができる。
【００３３】
本明細書中で用いた用語及び表現は単に説明のために便宜上用いたに過ぎないものであって、本発明の内容を何ら限定するものではない。そのような用語や表現を用いたとしても、そのことにより、上述した本発明の形態と均等なものやその一部を排除する意図はない。本発明は、権利が要求されている特許請求の範囲内で種々の変更を加えられることは明らかである。
【図面の簡単な説明】
【００３４】
【図１】本発明に係る寝具用上掛けのズレ止め具を示した斜視図である。
【図２】本発明に係るズレ止め具の使用状態を示した斜視図である。
【図３】図１に示したズレ止め具の側面図である。
【図４】図１に示したズレ止め具の掛止め環の変形例を示した斜視図である。
【図５】上掛けを本発明に係るズレ止め具の掛止め環に止着させる最初の手順を説明するための斜視図である。
【図６】上掛けを掛止め環に止着させるための次の手順を説明するための斜視図である。
【図７】上掛けの適宜端部が押え杆と掛止め環の第三の軸部とで挟持されている状態を示した斜視図である。
【図８】掛止め環を回動させることにより、上掛けの適宜端部が掛止め環の第三の軸部と押え杆とに巻回された状態を示した斜視図である。
【図９】図８に示した状態の側断面図である。
【符号の説明】
【００３５】
１                  ズレ止め具
２                  差込みプレート
３                  掛止め環
３０                環本体
３０ａ，３０ｂ      環本体の第一の軸部
３０ｃ              環本体の第二の軸部
３０ｄ              環本体の第三の軸部
３２                押え杆
３２ａ，３２ｂ リング部
Ａ                  上掛け
Ｂ                  ベッド
Ｃ                  マットレス
【図１】
0004677541.tif 000002
【図２】
0004677541.tif 000003
【図３】
0004677541.tif 000004
【図４】
0004677541.tif 000005
【図５】
0004677541.tif 000006
【図６】
0004677541.tif 000007
【図７】
0004677541.tif 000008
【図８】
0004677541.tif 000009
【図９】
0004677541.tif 000010